(57)【要約】  応力の集中を緩和し、塑性変形が生じにくく、優れた耐久性を有する接続端子を提供する。ハウジング（１０）の接点孔（１５）から押圧可能に突出する可動接点部（４１）を備えた接続端子（２１）であって、可動接点部（４１）に対する負荷によって、押し広げられる湾曲部（２７，３５）を設けた。
2013137406.tif 000002
【特許請求の範囲】
【請求項１】
ハウジングの接点孔の外部から押圧可能に突出する可動接点部を備えた接続端子であって、
前記可動接点部に対する負荷によって、押し広げられる湾曲部を設けたことを特徴とする接続端子。
【請求項２】
前記湾曲部を少なくとも２つ以上備え、連結部を介して各々の湾曲部を連結したことを特徴とする請求項１に記載の接続端子
【請求項３】
隣り合う少なくとも２つの前記湾曲部を、連結部を介して略３の字形状に連結したことを特徴とする請求項２に記載の接続端子
【請求項４】
前記連結部のバネ定数が、前記湾曲部のバネ定数より大きいことを特徴とする請求項２または３に記載の接続端子。
【請求項５】
少なくとも２つ以上の前記湾曲部の曲率半径が異なることを特徴とする請求項２ないし４のいずれか１項に記載の接続端子。
【請求項６】
前記可動接点部側に配置された湾曲部の曲率半径が、他の湾曲部の曲率半径よりも大きいことを特徴とする請求項５に記載の接続端子。
【請求項７】
前記湾曲部の曲率半径を前記可動接点部側から順次、小さくしたことを特徴とする請求項５または６に記載の接続端子。
【請求項８】
前記湾曲部の自由端部と回動支点とを結ぶ直線が、前記負荷側に傾斜していることを特徴とする請求項１ないし７のいずれか１項に記載の接続端子。
【請求項９】
前記湾曲部は、複数本の延在部によって形成されるスリットを備えることを特徴とする請求項１ないし８のいずれか１項に記載の接続端子。
【請求項１０】
前記湾曲部の自由端部に前記可動接点部を配置したことを特徴とする請求項１ないし９のいずれか１項に記載の接続端子。
【請求項１１】
前記可動接点部の先端から、前記湾曲部側に湾曲したガイド部を延在したことを特徴とする請求項１ないし１０のいずれか１項に記載の接続端子。
【請求項１２】
前記可動接点部が押圧されると、前記ガイド部が前記湾曲部側に変位することを特徴とする請求項１１に記載の接続端子。
【請求項１３】
前記湾曲部が、曲率半径の異なる複数の湾曲を連結することによって形成されることを特徴とする請求項１ないし１２のいずれか１項記載の接続端子。
【請求項１４】
前記可動接点部から最も遠くに位置する前記湾曲部の基部に、ハウジングに固定する圧入固定部を設けたことを特徴とする請求項１ないし１３のいずれか１項に記載の接続端子。
【請求項１５】
前記ガイド部が、前記可動接点が押圧された場合に湾曲部の基部に当接する形状であることを特徴とする請求項１ないし１４のいずれか１項に記載の接続端子。
【請求項１６】
請求項１ないし１５のいずれか１項に記載の接続端子の圧入用固定部を、前記ハウジングの圧入孔に圧入して固定するとともに、前記ハウジングに設けた接点孔から前記可動接点部を出し入れ可能に突出したことを特徴とするコネクタ。
【発明の詳細な説明】
【技術分野】
【０００１】
本願発明は接続端子、例えば、ハウジングに組み込まれてコネクタを形成するだけでなく、基板に直接実装して使用できる接続端子に関する。
【背景技術】
【０００２】
従来、接続端子としては、例えば、基幹部を支持辺部に連接したバネ辺部を介して接続端子接点部を一体に形成したＩＣソケット用コンタクトにおいて、前記バネ辺部は、連結部から前記接続端子接点部へ延びる上片アームと前記基幹部へ延びる下片アームとにより構成される横向き略Ｕ形を呈し、その上片アームが、それぞれ互いに離間し並行状に延在する第１バネ部、第２バネ部により構成され、前記下片アームが、それぞれ互いに離間し並行状に延在する第３バネ部、第４バネ部により構成され、さらに、前記バネ辺部が、前記連結部側から基幹部側へ向けて下る傾斜状であることを特徴とするＩＣソケット用コンタクトがある（特許文献１参照）。
【先行技術文献】
【特許文献】
【０００３】
【特許文献１】特開２００１−２３７０１５号公報
【発明の概要】
【発明が解決しようとする課題】
【０００４】
しかしながら、前述のＩＣソケット用コンタクトでは、その図２に示すように、外力が負荷されると、基幹部５に応力が集中しやすく、変位量を大きくしようとすると、塑性変形が生じやすいという問題があった。
本発明に係る接続端子は、変位量を大きくしながら応力の集中を緩和し、塑性変形が生じにくく、優れた耐久性を有する接続端子を提供することを課題とする。
【課題を解決するための手段】
【０００５】
前記課題を解決するため、本発明に係る接続端子は、ハウジングの接点孔の外部から押圧可能に突出する可動接点部を備えた接続端子であって、前記可動接点部に対する負荷によって、押し広げられる湾曲部を設けたものである。
【発明の効果】
【０００６】
本発明によれば、可動接点部に外力が負荷されて接続端子が弾性変形しても、湾曲部を押し広げることで、応力が特定の場所に集中することを回避し、接続端子が塑性変形するのを防止し、優れた耐久性を有する接続端子を提供できる。【０００７】
前記湾曲部を少なくとも２つ以上備え、連結部を介して連結してもよい。
２つの湾曲部を連結することで、奥行きの小さい接続端子を得ることができる。【０００８】
隣り合う少なくとも２つの前記湾曲部を、連結部を介して略３の字形状に連結してもよい。
略３の字形状に連結することで、さらに奥行きの小さい接続端子を得ることができる。
なお、略３の字形状とは、隣り合う２つの湾曲部を、その湾曲部の開口方向が同一方向に向かうように連結された形状を言い、より具体的には隣り合う２つの湾曲部の両端部をつないだ線分に対して、各々の湾曲部の開口が同一方向に向かうことを意味する。【０００９】
前記連結部のバネ定数が、前記湾曲部のバネ定数より大きくてもよい。
連結部のバネ定数が湾曲部のバネ定数より大きいことにより、連結部が剛体の役割を果たすため、複数の湾曲部のそれぞれが押し広げられる方向に弾性変形する。このため、小型で変位量が大きく、且つ応力の集中を緩和し、塑性変形が生じにくい接続端子を得ることができる。【００１０】
少なくとも２つ以上の前記湾曲部の曲率半径が異なってもよい。
曲率半径が異なることで、外力が負荷された場合に湾曲部の各箇所に生じる変形量を変えることができ、設計の自由度が広がる。【００１１】
前記可動接点部側に配置された湾曲部の曲率半径が、他の湾曲部の曲率半径よりも大きくてもよい。
これにより、外力が負荷された場合に、可動接点部側の湾曲部の変形量を大きくする一方、他の湾曲部の変形量を小さくすることにより、接続端子全体として大きな荷重を受けた場合でも応力集中の影響が少ない接続端子を得ることができる。【００１２】
前記湾曲部の曲率半径を前記可動接点部側から順次、小さくしてもよい。
これにより、外力が負荷された場合に、湾曲部の変形量が可動接点部側から順次小さくなり、接続端子全体として大きな荷重を受けた場合でも応力集中の影響が少ない接続端子を得ることができる。【００１３】
前記湾曲部の自由端部と回動支点とを結ぶ直線が、前記負荷側に傾斜してもよい。
これにより、外力が負荷された場合に、可動接点部の押し込み量を大きく確保できる。【００１４】
前記湾曲部は、複数本の延在部によって形成されるスリットを備えてもよい。
これにより、延在部の間に形成されたスリットにより応力集中を緩和できる。【００１５】
前記湾曲部の自由端部に前記可動接点部を配置してもよい。
これにより、接触信頼性を高めると共に可動接点部に負荷される外力を確実に湾曲部に伝達できる。特に、外部から大きな力が負荷された場合の耐衝撃性を高めることができる。【００１６】
前記可動接点部の先端から、前記湾曲部側に湾曲したガイド部を延在してもよい。
これにより、外力が負荷された場合に、可動接点部がガイド部に回動しつつ案内されて確実に接点孔内を移動できる。【００１７】
前記可動接点部が押圧されると、前記ガイド部が前記湾曲部側に変位してもよい。
これにより、確実に可動接点部を接点孔内に案内できる。【００１８】
前記可動接点部から最も遠くに位置する前記湾曲部の基部に、ハウジングに固定する圧入固定部を設けてもよい。
これにより、接続端子をハウジングに圧入固定部を介して確実に固定できる。【００１９】
本発明に係る新たな実施形態としては、前記ガイド部が、前記可動接点が押圧された場合に、湾曲部の基部に当接する形状であってもよい。例えば、接続端子が１つの湾曲部で形成されている場合には、前記ガイド部は、湾曲部の基部に当接する形状としてもよい。また、接続端子が複数の湾曲部で形成されている場合には、いずれかの湾曲部の基部、あるいは、基部に位置する連結部に当接する形状としてもよい。
本実施形態によれば、ガイド部が湾曲部の基部（連結部）に当接することにより、応力が特定の場所に集中することを回避し、接続端子が塑性変形するのを防止できるので、優れた耐久性を有する接続端子が得られる。
また、ガイド部と湾曲部の基部との当接によって、ガイド部から基部に至る電気抵抗が小さくなるため、接続端子に通電できる電流値を大きくできる。【００２０】
本発明に係るコネクタは、前述の接続端子の圧入用固定部を、前記ハウジングの圧入孔に圧入して固定するとともに、前記ハウジングに設けた接点孔から前記可動接点部を出し入れ可能に突出したものである。
これにより、小型で奥行き寸法が小さく、且つ、応力集中を防止し、優れた耐久性を有するコネクタが得られる。
【図面の簡単な説明】
【００２１】
【図１】（Ａ）は本願発明の第１実施形態に係る接続端子を組み込んだコネクタを示す斜視図、（Ｂ）は（Ａ）のＢ−Ｂ線断面斜視図である。
【図２】（Ａ）は本願発明の第１実施形態に係る接続端子の斜視図、（Ｂ）は（Ａ）の側面図である。
【図３】（Ａ）は図１で示した第１実施形態に係る接続端子の動作前を示す断面図、（Ｂ）は（Ａ）の動作後を示す断面図である。
【図４】本願発明の第２実施形態に係る接続端子の側面図である。
【図５】本願発明の第３実施形態に係る接続端子の側面図である。
【図６】（Ａ）は本願発明の第４実施形態に係る接続端子の斜視図、（Ｂ）は（Ａ）の側面図である。
【図７】（Ａ）は図６で示した第４実施形態に係る接続端子の動作後を示す斜視図、（Ｂ）は（Ａ）の側面図である。
【図８】（Ａ）は図６で示した第４実施形態に係る接続端子を組み込んだコネクタの動作前を示す断面図、（Ｂ）は（Ａ）の動作後を示す断面図である。
【発明を実施するための形態】
【００２２】
本発明に係る接続端子の実施形態を図１ないし図５の添付図面に従って説明する。
（第１実施形態）
第１実施形態は、図１ないし図３に示すように、樹脂成形されたハウジング１０に接続端子２１を所定のピッチで圧入したコネクタに適用した場合である。
【００２３】
前記ハウジング１０は、図１（Ａ）および図１（Ｂ）に示すように、背面側から接続端子２１を圧入できる収納スペース１２と、基板に立設するための断面Ｌ字形状の固定金具（図示せず）を挿通する断面Ｌ字形状の貫通孔１３を設けてある。また、前記ハウジング１０は、その正面側に、前記収納スペース１２に連通し、かつ、後述する可動接点部４１を出し入れできる接点孔１５と、前記収納スペース１２に連通する圧入孔１６とを設けてある。更に、前記接点孔１５の下方内向面に位置規制用受け部１８を形成してある。
【００２４】
接続端子２１は、図２（Ａ）および図２（Ｂ）示すように、ハウジング１０に圧入固定する圧入用固定部２２と、前記圧入用固定部２２から延在して湾曲する第１湾曲部２７および第２湾曲部３５と、前記第２湾曲部３５の自由端側に設けた可動接点部４１とを備えている。
【００２５】
圧入用固定部２２は、その一端部の上面に係止爪２３を突設してある一方、その他端部の下面に接続部２４を設けることにより、圧入用切欠き部２５を形成してある。可動接点部４１から最も遠くに位置する第１湾曲部２７の基部に、圧入用固定部２２を設けたので、接続端子２１をハウジング１０に前記圧入用固定部２２を介して確実に固定できる。
【００２６】
第１湾曲部２７は、略円弧状であり、一端に、前記圧入用固定部２２から交差するように上方に突出した支持部２８が形成され、他端に、略円弧状の連結部２９が形成されている。また、前記支持部２８と圧入用固定部２２との境界上に、可動接点部４１が押圧された場合の接続端子２１の回動支点Ｐを設けてある。
【００２７】
連結部２９は第１湾曲部２７に対して剛体とみなせることが望ましい。連結部２９が剛体であることにより、後述する可動接点部４１に外力が負荷されたときに、第１湾曲部２７が押し広げられるため、応力が特定の場所に集中することを回避し、接続端子２１が塑性変形することを防止できる。
【００２８】
なお、連結部２９が剛体とみなせるためには、そのバネ定数が第１湾曲部２７および後述する第２湾曲部３５のバネ定数より大きくなければならない。特に理想的な剛体に近づけるためには、連結部２９のバネ定数が、第１湾曲部２７、第２湾曲部３５のバネ定数よりも１桁以上大きいことが望ましい。
【００２９】
また、第１湾曲部２７は、前記支持部２８から分岐して湾曲する第１内側延在部３１と第１外側延在部３２と、これら第１内側延在部３１および第１外側延在部３２の間に形成された第１スリット３３とを有している。第１内側延在部３１および第１外側延在部３２は連結部２９で一体化され、第１スリット３３が終端している。更に、第１湾曲部２７の支持部２８側の端部と、連結部２９側の端部との中心回り角度αは１８０°より大きい。
【００３０】
第２湾曲部３５は、第１湾曲部２７より曲率半径が大きい円弧形状であり、一端に、前記連結部２９が形成され、他端の自由端部３６側に、可動接点部４１が形成されている。第２湾曲部３５は、連結部２９から分岐して湾曲する第２内側延在部３７と第２外側延在部３８と、これら第２内側延在部３７および第２外側延在部３８の間に形成された第２スリット３９とを有している。第２内側延在部３７および第２外側延在部３８は自由端部３６で一体化され、第２スリット３９が終端している。
【００３１】
第２湾曲部３５の連結部２９側の端部と、自由端部３６側の端部との中心回り角度βも１８０°より大きい。中心回り角度α、中心回り角度βのいずれもが１８０°より大きいため、後述する可動接点部４１に外力が負荷されたときに、第１湾曲部２７が押し広げられる。このため、応力が特定の場所に集中することを回避し、接続端子２１が塑性変形することを防止できる。
【００３２】
また、自由端部３６と回動支点Ｐとを結ぶ直線Ｌ１が、鉛直線Ｌ２に対して負荷の作用する方向に向かって傾斜している。これにより、外力が負荷された場合に、可動接点部４１の押し込み量を大きく確保できる。
【００３３】
更に、同一方向に開口部を持つ第１湾曲部２７と第２湾曲部３５とを、連結部２９を介して略３の字形状に連結したので、奥行きの小さい接続端子を得ることができる。そして、第１湾曲部２７と第２湾曲部３５とに設けた第１スリット３３および第２スリット３９により応力集中を緩和できる。また、第１湾曲部２７と第２湾曲部３５との全長がそれぞれ異なっているので、外力が負荷された場合の各湾曲部の変位量を変えることができ、用途に応じた設計が容易となる。次いで、上方側に位置する第２湾曲部３５の全長が下方側に位置する第１湾曲部２７の全長よりも大きい。このため、外力が負荷された場合に第１湾曲部２７に比べて第２湾曲部３５の変形量を大きくし、接続端子２１全体に外力を伝達できると共に設計の自由度が広がる。
【００３４】
可動接点部４１は、第２湾曲部３５の自由端部３６から外方に延在して湾曲している。可動接点部４１を第２湾曲部３５の自由端部３６に配置したので、接触信頼性を高めることができると共に、可動接点部４１に負荷する外力を確実に第２湾曲部３５に伝達できる。特に、外部から大きな衝撃力が負荷された場合に、前記衝撃力を緩和し、耐衝撃性を高めることができる。また、可動接点部４１は、接続端子２１をハウジング１０に圧入固定した状態で、接点孔１５から押圧可能に突出している。更に、可動接点部４１の自由端部３６と反対側の端部からは、下方に湾曲したガイド部４３が第２湾曲部３５に向かって延在している。このように、可動接点部４１の先端から第２湾曲部３５側にガイド部４３を延在したので、外力が負荷された場合に、可動接点部４１がガイド部４３にガイドされ、ハウジング１０の接点孔１５に係止することなく確実に接点孔１５内を移動できる。更に、ガイド部４３を湾曲しているので、外力が負荷された場合に、ガイド部４３が中心回りに回動しつつ、接点孔１５内を移動できる。
【００３５】
なお、可動接点部４１は第２湾曲部３５もしくはガイド部４３と別体である必要は無く、第２湾曲部３５もしくはガイド部４３とその機能を共用しても良い。この場合、外力が負荷される前の状態で、接点孔１５から押圧可能に突出している領域を可動接点部４１という。
【００３６】
ハウジング１０に接続端子２１を組み付けてコネクタとするため、図３（Ａ）に示すように、収納スペース１２に背面側から接続端子２１を挿入し、圧入用固定部２２を圧入孔１６に圧入する。そして、係止爪２３を圧入孔１６の内面に係止すると共に、接続部２４をハウジング１０の縁部に係止することにより抜け止めできる。さらに、接続端子２１の連結部２９の外周面が、ハウジング１０の位置規制用受け部１８に当接して位置規制される。このように、本発明の接続端子２１を用いてコネクタを構成するため、応力集中を防止し、優れた耐久性を有するコネクタが得られる。
【００３７】
図示しないプリント基板に実装した前記コネクタの可動接点部４１を押し込むと、図３（Ｂ）に示すように、第２湾曲部３５は押し広げられながら、ハウジング１０の背面側に移動し、第２外側延在部３８が天井面１９に当接する。同時に、連結部２９が位置規制用受け部１８から離間すると共に、第１湾曲部２７も第２湾曲部３５と同様に押し広げられる。ただし、連結部２９は、そのバネ定数が第１湾曲部２７および第２湾曲部３５のバネ定数よりも１桁以上大きいので、ほとんど変形しない。
【００３８】
以上のように、可動接点部４１に外力が負荷されて接続端子２１が弾性変形すると、第１湾曲部２７および第２湾曲部３５の両方が押し広げられる。このため、応力が特定の場所に集中することを回避することにより、接続端子２１が塑性変形するのを防止でき、優れた耐久性を有する接続端子２１を得ることができる。また、可動接点部４１を押し込むと、ガイド部４３は第２湾曲部３５の内側にもぐり込むように移動する。このため、可動接点部４１はガイド部４３にガイドされ、ハウジング１０の接点孔１５に係止することなく確実に接点孔１５内を移動できる。
【００３９】
本発明は、前記実施形態に限定されず、種々の変形が可能である。
【００４０】
（第２実施形態）
図４に示す第２実施形態に係る接続端子５５のように、曲率半径が異なる２つの円弧からなる第２湾曲部５６を採用してもよい。例えば、第２湾曲部５６を構成する上半部５７の曲率半径Ｒ１は、下半部５８の曲率半径Ｒ２よりも小さい。
【００４１】
第２湾曲部５６が、２つの異なる曲率半径からなることで、外力が負荷された場合に第２湾曲部５６の各箇所に生じる変形量を変えることができ、設計の自由度が広がる。上半部５７の曲率半径が、下半部５８の曲率半径よりも小さいので、外力が負荷された場合に、第２湾曲部５６の可動接点部４１側の変形量を小さくする一方、連結部２９側の変形量を大きくして、接続端子２１全体として大きな荷重を受けた場合でも応力集中の影響が少ない接続端子２１を得ることができる。
【００４２】
（第３実施形態）
図５に示す第３実施形態に係る接続端子６１のように、曲率半径が異なる３つの円弧からなる第２湾曲部６２を採用してもよい。例えば、第２湾曲部６２を構成する上半部６３の曲率半径Ｒ３は、中間部６４の曲率半径Ｒ４より小さく、中間部６４の曲率半径Ｒ４は下半部６５の曲率半径Ｒ５より小さい。
【００４３】
第２湾曲部６２の曲率半径を可動接点部４１側から連結部２９に向けて順次、大きくすることで、外力が負荷された場合に、第２湾曲部６２の変形量が可動接点部４１側から順次大きくなり、接続端子６１全体として大きな荷重を受けた場合でも応力集中の影響が少ない接続端子６１を得ることができる。
【００４４】
（第４実施形態）
図６ないし図８に示す第４実施形態に係る接続端子２１は、前述の実施形態とほぼ同様であり、異なる点は、２つの異なる曲率半径Ｒ６，Ｒ７の円弧からなる可動接点部４１の自由端部から、異なる曲率半径Ｒ８の円弧からなるガイド部４３を延在するとともに、前記ガイド部４３を連結部２９に当接可能とした点である。他は前述の実施形態とほぼ同様であるので、同一部分には同一番号を附して説明を省略する。
【００４５】
ついで、ハウジング１０に接続端子２１を組み付けてコネクタとするため、図８（Ａ）に示すように、収納スペース１２に背面側から接続端子２１を挿入し、圧入用固定部２２を圧入孔１６に圧入する。そして、係止爪２３を圧入孔１６の内面に係止すると共に、接続部２４をハウジング１０の縁部に係止することにより抜け止めできる。さらに、接続端子２１の連結部２９の外周面が、ハウジング１０の位置規制用受け部１８に当接して位置規制される。このように、本発明の接続端子２１を用いてコネクタを構成するため、応力集中を防止でき、優れた耐久性を有するコネクタが得られる。
【００４６】
図示しないプリント基板に実装した前記コネクタの可動接点部４１を押し込むと、図８（Ｂ）に示すように、可動接点部４１が内側に弾性変形し、第２湾曲部３５は押し広げられながら、ハウジング１０の背面側に移動し、連結部２９が位置規制用受け部１８から離間する。このとき、第１湾曲部２７も第２湾曲部３５と同様に押し広げられる。ついで、ガイド部４３が連結部２９に当接し、第２外側延在部３８が天井面１９に当接する。ただし、連結部２９は、そのバネ定数が第１湾曲部２７，第２湾曲部３５および可動接点部４１のバネ定数よりも極めて大きいので、ほとんど変形しない。
【００４７】
以上のように、可動接点部４１に外力が負荷されて接続端子２１が弾性変形すると、第１湾曲部２７および第２湾曲部３５の両方が押し広げられるだけでなく、ガイド部４３が連結部２９に当接する。このため、応力が特定の場所に集中することを回避することにより、接続端子２１が塑性変形するのを防止でき、優れた耐久性を有する接続端子２１を得ることができる。
【産業上の利用可能性】
【００４８】
本発明に係る接続端子は、前述の形状に限らず、押圧されて押し広げられる湾曲部を有するものである限り、特に限定するものではない。
また、曲率半径が異なる複数の円弧からなる湾曲部を採用してもよい。
さらに、接続端子が一つの湾曲部からなる場合には、ガイド部を前記湾曲部の基部に当接させてもよい。また、接続端子が複数の湾曲部からなる場合には、前記湾曲部の間に形成した連結部にガイド部を当接させてもよい。
【符号の説明】
【００４９】
１０  ハウジング
１５  接点孔
１６  圧入孔
２１  接続端子
２２  圧入用固定部
２７  第１湾曲部
２９  連結部
３１  第１内側延在部
３２  第１外側延在部
３５  第２湾曲部
３６  自由端部
３７  第２内側延在部
３８  第２外側延在部
４１  可動接点部
４３  ガイド部
５５  接続端子
５６  第２湾曲部
６１  接続端子
６２  第２湾曲部
【図１】
2013137406.tif 000003
【図２】
2013137406.tif 000004
【図３】
2013137406.tif 000005
【図４】
2013137406.tif 000006
【図５】
2013137406.tif 000007
【図６】
2013137406.tif 000008
【図７】
2013137406.tif 000009
【図８】
2013137406.tif 000010
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
ハウジングの接点孔の外部から押圧可能に突出する可動接点部を備えた接続端子であって、
前記可動接点部に対する負荷によって、押し広げられる湾曲部を少なくとも２つ以上備え、連結部を介して各々の湾曲部を連結したことを特徴とする接続端子。
【請求項２】
（削除）
【請求項３】
隣り合う少なくとも２つの前記湾曲部を、連結部を介して略３の字形状に連結したことを特徴とする請求項１に記載の接続端子
【請求項４】
前記連結部のバネ定数が、前記湾曲部のバネ定数より大きいことを特徴とする請求項１または３に記載の接続端子。
【請求項５】
少なくとも２つ以上の前記湾曲部の曲率半径が異なることを特徴とする請求項１，３，４のいずれか１項に記載の接続端子。
【請求項６】
前記可動接点部側に配置された湾曲部の曲率半径が、他の湾曲部の曲率半径よりも大きいことを特徴とする請求項５に記載の接続端子。
【請求項７】
前記湾曲部の曲率半径を前記可動接点部側から順次、小さくしたことを特徴とする請求項５または６に記載の接続端子。
【請求項８】
前記湾曲部の自由端部と回動支点とを結ぶ直線が、前記負荷側に傾斜していることを特徴とする請求項１，３ないし７のいずれか１項に記載の接続端子。
【請求項９】
前記湾曲部は、複数本の延在部によって形成されるスリットを備えることを特徴とする請求項１，３ないし８のいずれか１項に記載の接続端子。
【請求項１０】
前記湾曲部の自由端部に前記可動接点部を配置したことを特徴とする請求項１，３ないし９のいずれか１項に記載の接続端子。
【請求項１１】
前記可動接点部の先端から、前記湾曲部側に湾曲したガイド部を延在したことを特徴とする請求項１，３ないし１０のいずれか１項に記載の接続端子。
【請求項１２】
前記可動接点部が押圧されると、前記ガイド部が前記湾曲部側に変位することを特徴とする請求項１１に記載の接続端子。
【請求項１３】
前記湾曲部が、曲率半径の異なる複数の湾曲を連結することによって形成されることを特徴とする請求項１，３ないし１２のいずれか１項記載の接続端子。
【請求項１４】
前記可動接点部から最も遠くに位置する前記湾曲部の基部に、ハウジングに固定する圧入固定部を設けたことを特徴とする請求項１，３ないし１３のいずれか１項に記載の接続端子。
【請求項１５】
前記ガイド部が、前記可動接点が押圧された場合に湾曲部の基部に当接する形状であることを特徴とする請求項１１ないし１４のいずれか１項に記載の接続端子。
【請求項１６】
請求項１，３ないし１５のいずれか１項に記載の接続端子の圧入用固定部を、前記ハウジングの圧入孔に圧入して固定するとともに、前記ハウジングに設けた接点孔から前記可動接点部を出し入れ可能に突出したことを特徴とするコネクタ。
【手続補正２】
【補正対象書類名】明細書
【補正対象項目名】０００２
【補正方法】変更
【補正の内容】
【０００２】
［０００５］
前記課題を解決するため、本発明に係る接続端子は、ハウジングの接点孔の外部から押圧可能に突出する可動接点部を備えた接続端子であって、前記可動接点部に対する負荷によって、押し広げられる湾曲部を少なくとも２つ以上備え、連結部を介して各々の湾曲部を連結したものである。
発明の効果
［０００６］
本発明によれば、可動接点部に外力が負荷されて接続端子が弾性変形しても、湾曲部を押し広げることで、応力が特定の場所に集中することを回避し、接続端子が塑性変形するのを防止し、優れた耐久性を有する接続端子を提供できる。
［０００７］
また、本発明によれば、２つの湾曲部を連結することで、奥行きの小さい接続端子を得ることができる。
［０００８］
隣り合う少なくとも２つの前記湾曲部を、連結部を介して略３の字形状に連結してもよい。
略３の字形状に連結することで、さらに奥行きの小さい接続端子を得ることができる。
なお、略３の字形状とは、隣り合う２つの湾曲部を、その湾曲部の開口方向が同一方向に向かうように連結された形状を言い、より具体的には隣り合う２つの湾曲部の両端部をつないだ線分に対して、各々の湾曲部の開口が同一方向に向かうことを意味する。
［０００９］
前記連結部のバネ定数が、前記湾曲部のバネ定数より大きくてもよい。
連結部のバネ定数が湾曲部のバネ定数より大きいことにより、連結部が剛体の役割を果たすため、複数の湾曲部のそれぞれが押し広げられる方向に弾性変形する。このため、小型で変位量が大きく、且つ応力の集中を緩和し、塑性変形が生じにくい接続端子を得ることができる。
［００１０］
少なくとも２つ以上の前記湾曲部の曲率半径が異なってもよい。
曲率半径が異なることで、外力が負荷された場合に湾曲部の各箇所に生じる変形量を変えることができ、設計の自由度が広がる。
【国際調査報告】
2013137406.tif 000011
2013137406.tif 000012
2013137406.tif 000013
2013137406.tif 000014